(57)【要約】【課題】外部出力端子に接続された外部表示装置の表示領域に副画像をはみ出すことなく表示することができる画像表示装置及びビデオ信号生成方法を提供する【解決手段】デジタルカメラ１０は、副画像がビデオ出力端子７４に接続されたＴＶ７６の表示領域に収まるように当該副画像を示す副画像データ、又は主画像を示す主画像データと副画像を示す副画像データが合成された合成画像データを変換する。【選択図】図２
2007123961.tif 000002
【特許請求の範囲】
【請求項１】
主画像を副画像が重ね合わされた状態で表示する表示手段と、
前記副画像を示すと共に、前記表示手段の表示領域の画素構成に応じたものとして構成された副画像データを予め記憶した記憶手段と、
前記主画像に前記副画像が重ね合わされるように前記主画像を示す主画像データ及び前記副画像データを合成して合成画像データを生成する合成手段と、
前記合成手段によって生成された前記合成画像データにより示される画像を示すビデオ信号を生成する生成手段と、
前記生成手段によって生成された前記ビデオ信号を外部表示装置に出力するための外部出力端子と、
前記副画像が前記外部出力端子に接続された外部表示装置の表示領域に収まるように前記副画像データ又は前記合成画像データを変換する変換手段と、
を備えた画像表示装置。
【請求項２】
前記変換手段による前記副画像データ又は前記合成画像データに対する変換率を示す情報を入力するための入力手段を更に備え、
前記変換手段は、前記入力手段によって入力された情報により示される変換率で前記副画像データ又は前記合成画像データを変換する、
請求項１記載の画像表示装置。
【請求項３】
主画像を副画像が重ね合わされた状態で表示する表示手段、前記副画像を示すと共に、前記表示手段の表示領域の画素構成に応じたものとして構成された副画像データを予め記憶した記憶手段、前記主画像に前記副画像が重ね合わされるように前記主画像を示す主画像データ及び前記副画像データを合成して合成画像データを生成する合成手段、前記合成手段によって生成された前記合成画像データにより示される画像を示すビデオ信号を生成する生成手段、及び前記生成手段によって生成された前記ビデオ信号を外部表示装置に出力するための外部出力端子を備えた画像表示装置におけるビデオ信号生成方法であって、
前記副画像が前記外部出力端子に接続された外部表示装置の表示領域に収まるように前記副画像データ又は前記合成画像データを変換する、
ことを特徴とするビデオ信号生成方法。
【請求項４】
前記副画像データ又は前記合成画像データに対する変換率を示す情報を入力し、
入力した情報により示される変換率で前記副画像データ又は前記合成画像データを変換する、
ことを特徴とする請求項３記載のビデオ信号生成方法。
【発明の詳細な説明】
【技術分野】
【０００１】
本発明は、画像表示装置及びビデオ信号生成方法に係り、特に、主画像を副画像が重ね合わされた状態で表示する液晶ディスプレイ等の表示手段と、当該表示手段によって表示された画像を示すアナログビデオ信号を外部表示装置に出力するための外部出力端子を備えた画像表示装置、及び当該画像表示装置におけるビデオ信号生成方法に関する。
【背景技術】
【０００２】
近年、ＣＣＤ（Charge Coupled Device）エリアセンサ、ＣＭＯＳ（Complementary Metal Oxide Semiconductor）イメージ・センサ等の撮像素子の高解像度化に伴い、デジタルカメラ、携帯電話機、ＰＤＡ（Personal Digital Assistant，携帯情報端末）等の撮影機能を有する情報機器の需要が急増している。
【０００３】
ところで、上記情報機器には、デジタルインタフェースを備えると共に上記撮像素子により得られた被写体像を示す画像等を表示する液晶ディスプレイ等の内部表示装置に加えて、当該内部表示装置によって表示される画像を示すアナログビデオ信号を外部表示装置に出力するためのビデオ出力端子を備えたものがある。ここで、上記内部表示装置及び上記外部表示装置についても高解像度化は進んでいるものの、上記撮像素子の解像度ほどの高解像化は実現されていない。
【０００４】
このため、上記各表示装置の表示領域に撮像素子によって取得された画像情報により示される被写体像を当該表示領域からはみ出すことなく表示させるためには、当該被写体像の表示サイズを縮小する必要があり、このための技術として特許文献１には、被写体像の表示サイズを縦横任意のサイズに拡大縮小することにより、当該被写体像を、より画素数の低い液晶表示器又は家庭用テレビの表示領域の画素構成に応じたものとして構成することにより、上記液晶表示器又は家庭用テレビの表示領域からはみ出すことなく表示させることのできる画像データを生成する技術が開示されている。
【特許文献１】特開２０００−２８７０７６公報
【発明の開示】
【発明が解決しようとする課題】
【０００５】
ところで、上記情報機器には、被写体像等の主画像の上に、各種メニュー画像や文字、マーク等を示す副画像を重ね合わせて表示装置に表示させる所謂オン・スクリーン・ディスプレイ（On Screen Display）機能（以下、「ＯＳＤ機能」という。）を有するものがあり、当該ＯＳＤ機能に対して上記特許文献１に開示されている技術を適用し、副画像を内部表示装置の表示領域の画素構成に応じたものとして構成することにより、内部表示装置の表示領域からはみ出すことなく副画像を表示させることができる。なお、図８（Ａ）には、内部表示装置の表示領域に表示された副画像（ここでは、「Ｍｅｒｒｙ  Ｘ’ｍａｓ」及び「２００４．１２．２４」の文字列。）の表示状態例が示されている。
【０００６】
しかしながら、ビデオ出力端子に接続された外部表示装置に内部表示装置によって表示された副画像を表示させた場合、表示領域からはみ出して表示されてしまう場合があった。これは、外部表示装置の表示領域は必ずしも全面表示可能とされているとは限らず、外周部に表示することができない領域が存在する場合があるからである。なお、図８（Ｂ）には、内部表示装置によって表示された画像が図８（Ａ）に示されるものである場合の外部表示装置の表示領域に表示された副画像の表示状態が示されている。
【０００７】
本発明は、上記問題点を解決するためになされたものであり、外部出力端子に接続された外部表示装置の表示領域に副画像をはみ出すことなく表示できる画像表示装置及びビデオ信号生成方法を提供することを目的とする。
【課題を解決するための手段】
【０００８】
上記目的を達成するために、請求項１記載の画像表示装置は、主画像を副画像が重ね合わされた状態で表示する表示手段と、前記副画像を示すと共に、前記表示手段の表示領域の画素構成に応じたものとして構成された副画像データを予め記憶した記憶手段と、前記主画像に前記副画像が重ね合わされるように前記主画像を示す主画像データ及び前記副画像データを合成して合成画像データを生成する合成手段と、前記合成手段によって生成された前記合成画像データにより示される画像を示すビデオ信号を生成する生成手段と、前記生成手段によって生成された前記ビデオ信号を外部表示装置に出力するための外部出力端子と、前記副画像が前記外部出力端子に接続された外部表示装置の表示領域に収まるように前記副画像データ又は前記合成画像データを変換する変換手段と、を備えている。
【０００９】
請求項１に記載の画像表示装置は、主画像が副画像と重ね合わされた状態で表示手段により表示されるものとされており、前記副画像を示すと共に、前記表示手段の表示領域の画素構成に応じたものとして構成された副画像データが予め記憶手段により記憶されている。なお、上記表示手段には、液晶ディスプレイ、プラズマディスプレイ、有機ＥＬ（Electro Luminescence）ディスプレイ等が含まれる。また、上記記憶手段には、ＲＡＭ（Random Access Memory）、ＥＥＰＲＯＭ（Electrically Erasable and Programmable Read Only Memory）、フラッシュＥＥＰＲＯＭ（Flash EEPROM）等の記憶素子、スマートメディア（登録商標）、フレキシブルディスク等の可搬型の記録媒体やハードディスク等の固定型の記録媒体、或いはネットワークに接続されたサーバコンピュータ等に設けられた外部記憶装置が含まれる。
【００１０】
また、請求項１に記載の画像表示装置では、前記主画像に前記副画像が重ね合わされるように前記主画像を示す主画像データ及び前記副画像データが合成手段により合成されて合成画像データが生成された後、当該合成画像データにより示される画像を示すビデオ信号が生成手段により生成され、当該ビデオ信号が外部出力端子により外部表示装置に出力される。
【００１１】
ここで、本発明では、前記副画像が前記外部出力端子に接続された外部表示装置の表示領域に収まるように前記副画像データ又は前記合成画像データが変換手段により変換される。なお、上記外部表示装置には、テレビジョン受像機等が含まれる。
【００１２】
このように、請求項１に記載の画像表示装置によれば、副画像が外部出力端子に接続された外部表示装置の表示領域に収まるように当該副画像を示す副画像データ、又は主画像を示す主画像データと副画像を示す副画像データが合成された合成画像データを変換しているので、外部出力端子に接続された外部表示装置の表示領域に副画像をはみ出すことなく表示することができる。
【００１３】
なお、本発明は、請求項２に記載の発明のように、前記変換手段による前記副画像データ又は前記合成画像データに対する変換率を示す情報を入力するための入力手段を更に備え、前記変換手段は、前記入力手段によって入力された情報により示される変換率で前記副画像データ又は前記合成画像データを変換するものとしてもよい。なお、上記入力手段による入力には、キーボード、マウス（ポインティングデバイス）等の入力装置を介した入力の他、ＬＡＮ、インターネット等のネットワークを介した入力も含まれる。
【００１４】
一方、上記目的を達成するために、請求項３に記載のビデオ信号生成方法は、主画像を副画像が重ね合わされた状態で表示する表示手段、前記副画像を示すと共に、前記表示手段の表示領域の画素構成に応じたものとして構成された副画像データを予め記憶した記憶手段、前記主画像に前記副画像が重ね合わされるように前記主画像を示す主画像データ及び前記副画像データを合成して合成画像データを生成する合成手段、前記合成手段によって生成された前記合成画像データにより示される画像を示すビデオ信号を生成する生成手段、及び前記生成手段によって生成された前記ビデオ信号を外部表示装置に出力するための外部出力端子を備えた画像表示装置におけるビデオ信号生成方法であって、前記副画像が前記外部出力端子に接続された外部表示装置の表示領域に収まるように前記副画像データ又は前記合成画像データを変換するものである。
【００１５】
従って、請求項３に記載のビデオ信号生成方法によれば、請求項１に記載の発明と同様に作用するので、請求項１に記載の発明と同様に、外部出力端子に接続された外部表示装置の表示領域に副画像をはみ出すことなく表示することができる。
【００１６】
なお、本発明は、請求項４に記載の発明のように、前記副画像データ又は前記合成画像データに対する変換率を示す情報を入力し、入力した情報により示される変換率で前記副画像データ又は前記合成画像データを変換するものとしてもよい。
【発明の効果】
【００１７】
本発明によれば、副画像が外部出力端子に接続された外部表示装置の表示領域に収まるように当該副画像を示す副画像データ、又は主画像を示す主画像データと副画像を示す副画像データが合成された合成画像データを変換しているので、外部出力端子に接続された外部表示装置の表示領域に副画像をはみ出すことなく表示することができる、という効果が得られる。
【発明を実施するための最良の形態】
【００１８】
以下、図面を参照して、本発明の実施の形態について詳細に説明する。なお、ここでは、本発明を、ＯＳＤ機能が搭載されていると共に静止画像の撮影を行うデジタル電子スチルカメラ（以下、「デジタルカメラ」という。）に適用した場合について説明する。
【００１９】
［第１の実施の形態］
まず、図１を参照して、本実施の形態に係るデジタルカメラ１０の外観上の構成を説明する。
【００２０】
同図に示すように、デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズスイッチ（所謂シャッター）５６Ａと、電源スイッチ５６Ｂと、モード切替スイッチ５６Ｃと、が備えられている。
【００２１】
なお、本実施の形態に係るデジタルカメラ１０のレリーズスイッチ５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２２】
そして、デジタルカメラ１０では、レリーズスイッチ５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２３】
一方、デジタルカメラ１０の背面には、前述のファインダ２０の接眼部と、撮影された被写体像やメニュー画面等を表示するための液晶ディスプレイ（以下、「ＬＣＤ」という。）３８と、十字カーソルスイッチ５６Ｄと、が備えられている。なお、十字カーソルスイッチ５６Ｄは、ＬＣＤ３８の表示領域における上・下・左・右の４方向の移動方向を示す４つの矢印キーを含んで構成されている。更に、デジタルカメラ１０の背面には、ＬＣＤ３８にメニュー画面を表示させるときに押圧操作されるメニュースイッチと、それまでの操作内容を確定するときに押圧操作される決定スイッチと、直前の操作内容をキャンセルするときに押圧操作されるキャンセルスイッチと、が備えられている。
【００２４】
なお、本実施の形態に係るデジタルカメラ１０では、ＬＣＤ３８として、表示領域のアスペクト比が４：３とされたものが適用されている。
【００２５】
また、デジタルカメラ１０の側面には、アナログビデオ信号（ここでは、ＮＴＳＣアナログビデオ信号。）を外部に出力するためのビデオ出力端子７４（図１では図示省略。図２参照。）が設けられている。
【００２６】
次に、図２を参照して、本実施の形態に係るデジタルカメラ１０の電気系の要部構成を説明する。
【００２７】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００２８】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００２９】
なお、デジタル信号処理部３０は、所定容量のラインバッファを内蔵し、入力されたデジタルデータを後述するＳＤＲＡＭ４８Ａの所定領域に直接記憶させる制御も行う。
【００３０】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３１】
一方、デジタルカメラ１０は、デジタルカメラ１０全体の動作を司るＣＰＵ（中央処理装置）４０と、撮影により得られたデジタル画像データ等を一時的に記憶するＳＤＲＡＭ（Synchronous DRAM）４８Ａと、上述した副画像データや各種パラメータ等の所定情報が予め記憶されたフラッシュＲＯＭ４８Ｂと、ＳＤＲＡＭ４８Ａ及びフラッシュＲＯＭ４８Ｂに対するアクセスの制御を行うメモリコントローラ４６と、を含んで構成されている。なお、本実施の形態における副画像データは、構成がＬＣＤ３８の表示領域の画素構成（本実施の形態では、６４０画素×４８０画素。）に応じたものとなっている。
【００３２】
更に、デジタルカメラ１０は、可搬型の記録メディア５２をデジタルカメラ１０でアクセス可能とするためのメディアＩ／Ｆ部５０と、デジタル画像データに対する圧縮処理及び伸張処理を行う圧縮・伸張処理回路５４と、を含んで構成されている。なお、本実施の形態におけるデジタルカメラ１０では、記録メディア５２としてスマートメディア（Smart Media(登録商標)）が用いられている。
【００３３】
また、デジタルカメラ１０は、デジタル画像データにより示される画像やメニュー画面等をＬＣＤ３８に表示させるための画像信号を生成してＬＣＤ３８に供給する一方、ＬＣＤ３８に表示させる画像を示すアナログビデオ信号Ｓ１を生成してビデオ出力端子７４に供給するビデオ／ＬＣＤエンコーダ３６を備えている。
【００３４】
ビデオ／ＬＣＤエンコーダ３６は、上述したＬＣＤ３８に表示させる主画像データにより示される主画像を縮小する縮小処理を行うことによりＬＣＤ３８の表示領域の画素構成に応じた主画像データを生成して第１の合成回路６２及び第２の合成回路６８に出力する第１のリサイズ回路６０と、入力された主画像データとＯＳＤ機能によって表示される副画像データの２種類のデータを合成する合成処理を行うことにより合成画像データを生成してＬＣＤコントローラ６４に出力する第１の合成回路６２と、入力された合成画像データに基づいてＬＣＤ３８に供給する画像信号を生成するＬＣＤコントローラ６４を備えている。なお、本実施の形態に係る第１のリサイズ回路６０では、入力された主画像データにより示される主画像の画素配列から縦横各々１画素おきに画素データを間引きした後、ＬＣＤ３８の表示領域の表示サイズに応じて予め定められた縮小率となるように線形補間法によって足りない画素データを埋めることによりＬＣＤ３８の表示領域の画素構成に応じた主画像データを生成しており、第１の合成回路６２では、入力された主画像データに対して、入力された副画像データにより示される副画像を構成する画素の画素データで上書きすることにより合成画像データを生成しているが、他の従来既知の縮小処理ないし合成処理が適用できることは言うまでもない。
【００３５】
また、ビデオ／ＬＣＤエンコーダ３６はＯＳＤ機能によって表示される副画像データにより示される副画像を縮小する縮小処理を行うことによりＴＶ７６の表示領域内に収まる副画像データを生成して第２の合成回路６８に出力する第２のリサイズ回路６６と、入力された副画像データ、及び第１のリサイズ回路６０から入力された主画像データの２種類のデータを合成する合成処理を行うことにより合成画像データを生成してデジタルエンコーダ７０に出力する第２の合成回路６８と、入力された合成画像データに基づいてアナログビデオ信号Ｓ１を示すデジタルデータを生成してデジタル／アナログ変換器（以下、「ＤＡＣ」という。）７２に出力するデジタルエンコーダ７０と、入力されたデジタルデータをアナログ信号に変換してアナログビデオ信号Ｓ１としてビデオ出力端子７４に供給するＤＡＣ７２と、を備えている。なお、本実施の形態に係る第２のリサイズ回路６６では、所定の縮小率ないしユーザによって指定された縮小率となるように上記第１のリサイズ回路６０と同様の処理によってＴＶ７６の表示領域内に収まる副画像データを生成しており、第２の合成回路６８でも、第１の合成回路６２と同様の処理によって合成画像データを生成している。なお、所定の縮小率には、外部ビデオ端子７４に接続される可能性の高いテレビジョン受像機の表示領域の面積に対する表示可能な面積の割合いの最低値として、予め多数のテレビジョン受像機について実測した値から予測したものを適用しているが、これに限るものではない。
【００３６】
なお、本実施の形態に係るデジタルカメラ１０では、ビデオ出力端子７４にＴＶ７６が接続されたことを、ＣＰＵ４０が検出できるものとして構成されている。
【００３７】
デジタル信号処理部３０、ビデオ／ＬＣＤエンコーダ３６、ＣＰＵ４０、メモリコントローラ４６、メディアＩ／Ｆ部５０、及び圧縮・伸張処理回路５４はシステムバスＢＵＳを介して相互に接続されている。従って、ＣＰＵ４０は、デジタル信号処理部３０、ビデオ／ＬＣＤエンコーダ３６及び圧縮・伸張処理回路５４の作動の制御、ＳＤＲＡＭ４８Ａ、フラッシュＲＯＭ４８Ｂ及び記録メディア５２へのメモリコントローラ４６ないしメディアＩ／Ｆ部５０を介したアクセスを各々行うことができる。
【００３８】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００３９】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４０】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００４１】
更に、前述のレリーズスイッチ５６Ａ、電源スイッチ５６Ｂ、モード切替スイッチ５６Ｃ、十字カーソルスイッチ５６Ｄ、メニュースイッチ等の各種スイッチ（同図では、「操作部５６」と総称。）はＣＰＵ４０に接続されており、ＣＰＵ４０は、これらの操作部５６に対する操作状態を常時把握できる。
【００４２】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４３】
次に、本実施の形態に係るデジタルカメラ１０の撮影時における全体的な動作について簡単に説明する。
【００４４】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００４５】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦ＳＤＲＡＭ４８Ａの所定領域に直接格納する。
【００４６】
ＳＤＲＡＭ４８Ａの所定領域に格納されたデジタル画像データは、ＣＰＵ４０による制御に応じてデジタル信号処理部３０により読み出され、所定の物理量に応じたＲ，Ｇ，Ｂ毎のデジタルゲインをかけることでホワイトバランス調整を行うと共に、ガンマ処理及びシャープネス処理を行って８ビットのデジタル画像データを生成する。
【００４７】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をＳＤＲＡＭ４８Ａの上記所定領域とは異なる領域に格納する。
【００４８】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、第１のリサイズ回路６０に入力して前述した縮小処理を施した後、当該縮小処理されたＹＣ信号を第１の合成回路６２及びＬＣＤコントローラ６４を介して順次ＬＣＤ３８に出力する。これによってＬＣＤ３８にスルー画像が表示されることになる。
【００４９】
ここで、レリーズスイッチ５６Ａがユーザによって半押し状態とされたタイミングで前述のようにＡＥ機能が働いて露出状態が設定された後、ＡＦ機能が働いて合焦制御され、その後、引き続き全押し状態とされたタイミングで、その時点でＳＤＲＡＭ４８Ａに格納されているＹＣ信号を、圧縮・伸張処理回路５４によって所定の圧縮形式（本実施の形態では、ＪＰＥＧ形式）で圧縮した後にメディアＩ／Ｆ部５０を介して記録メディア５２に電子化ファイル（画像ファイル）として記録する。
【００５０】
次に、図３を参照して、ＯＳＤ機能を用いてＬＣＤ３８に画像を表示する際のデジタルカメラ１０の作用を説明する。なお、図３は、ＯＳＤ機能により画像をＬＣＤ３８に表示する際に所定時間（本実施の形態では、１０秒。）おきにＣＰＵ４０により実行されるＬＣＤ表示処理プログラムの処理の流れを示すフローチャートであり、当該プログラムはフラッシュＲＯＭ４８Ｂの所定領域に予め記憶されている。なお、ここでは、ＬＣＤ３８に表示すべき主画像（撮影モード時には、撮像画像。）を示す画像データがＳＤＲＡＭ４８Ａに記憶されている場合について説明する。
【００５１】
ステップ１００では、ＬＣＤ３８に表示させる主画像データをＳＤＲＡＭ４８Ａから読み出して第１のリサイズ回路６０に入力した後、前述した縮小処理を実行させる指示を第１のリサイズ回路６０に対して出力し、ステップ１０２に移行する。なお、これに応じて第１のリサイズ回路６０は前述したように入力された主画像データに基づいてＬＣＤ３８の表示領域の画素構成に応じた主画像データを生成する。
【００５２】
ステップ１０２では、ＯＳＤ機能によって表示される副画像をフラッシュＲＯＭ４８Ｂから読み出して第１の合成回路６２に入力した後、前述した合成処理を実行させる指示を第１の合成回路６２に対して出力し、ステップ１０４に移行する。なお、これに応じて第１の合成回路６２は前述したように上記ステップ１００の処理において生成された主画像データ及び入力された副画像データに基づいて合成画像データを生成する。以上の処理によって、ＬＣＤコントローラ６４により合成画像を示すと共にＬＣＤ３８に供給する画像信号が生成される結果、ＬＣＤ３８の表示領域には同ステップ１０２の処理によって生成された合成画像データにより示される合成画像が、副画像がはみ出すことなく表示される。なお、図５（Ａ）には、ＬＣＤ３８の表示領域に表示されている合成画像の表示状態例が示されており、副画像は「Ｍｅｒｒｙ  Ｘ’ｍａｓ」及び「２００４．１２．２４」の文字列とされている。
【００５３】
ステップ１０４では、ビデオ出力端子７４にＴＶ７６が接続されたことを検知したか否かを判定し、肯定判定となった場合はステップ１０６に移行する。
【００５４】
ステップ１０６では、ユーザに対して縮小率の入力を促す旨の表示画面（図４も参照。）をＬＣＤ３８に表示させた後、次のステップ１０８にて、縮小率を示す情報の受信待ちを行う。なお、減少率は、十字カーソルスイッチ５６Ｄの上方向の矢印キーを押圧操作することにより当該減少率の数値が所定数値ずつ下がるものされると共に、十字カーソルスイッチ５６Ｄの下方向の矢印キーを押圧操作することにより当該減少率の数値が所定数値ずつ上がるものとされる。また、減少率が入力された後、ユーザにより決定ボタンが押圧操作されることにより当該入力された減少率を示す情報がＣＰＵ４０に送信されるものとされる。
【００５５】
ステップ１１０では、上記ステップ１０８の処理において受信した情報により示される縮小率が所定の縮小率（本実施の形態では、９０％。）であるか否かを判定し、肯定判定となった場合にはステップ１１２に移行する。
【００５６】
ステップ１１２では、上記ステップ１０２の処理において読み出した副画像データと同一の画像データをフラッシュＲＯＭ４８Ｂから読み出して第２のリサイズ回路６６に入力した後、前述した縮小処理を実行させる指示を第２のリサイズ回路６６に対して出力し、ステップ１１６に移行する。なお、これに応じて第２のリサイズ回路６６は、前述したように入力された副画像データに基づいて所定の縮小率でＴＶ７６の表示領域内に収まる副画像データを生成する。
【００５７】
一方、上記ステップ１１０の処理において否定判定となった場合はステップ１１４に移行し、上記ステップ１０２の処理において読み出した副画像データと同一の画像データをフラッシュＲＯＭ４８Ｂから読み出して第２のリサイズ回路６６に入力した後、前述した縮小処理を実行させる指示を第２のリサイズ回路６６に対して出力し、ステップ１１６に移行する。なお、これに応じて第２のリサイズ回路６６は、前述したように入力された副画像データに基づいてユーザによって指定された縮小率でＴＶ７６の表示領域内に収まる副画像データを生成する。
【００５８】
ステップ１１６では、前述した合成処理を実行させる指示を第２の合成回路６８に対して出力した後、本ＬＣＤ表示処理プログラムを終了する。なお、これに応じて第２の合成回路６８は、前述したように上記ステップ１００の処理において生成された主画像データ及び上記ステップ１１２ないしステップ１１４において生成された副画像データに基づいて合成画像データを生成する。以上の処理によって、デジタルエンコーダ７０により合成画像を示すアナログビデオ信号が生成される結果、ＴＶ７６の表示領域には同ステップ１１６の処理によって生成された合成画像データにより示される合成画像が、副画像がはみ出すことなく表示される。なお、図５（Ｂ）には、ＬＣＤ３８によって表示されている画像が図５（Ａ）に示されるものである場合のＴＶ７６の表示領域に表示された合成画像の表示状態例が示されている。
【００５９】
一方、上記ステップ１０４の処理において否定判定となった場合はステップ１１８に移行し、上記縮小処理ないし合成処理を停止させる指示を第１のリサイズ回路６０、第１の合成回路６２、第２のリサイズ回路６６及び第２の合成回路６８に対して出力した後、本ＬＣＤ表示処理プログラムを終了する。
【００６０】
以上詳細に説明したように、上記実施の形態では、副画像が外部出力端子（ここでは、ビデオ出力端子７４。）に接続された外部表示装置（ここでは、ＴＶ７６。）の表示領域に収まるように当該副画像を示す副画像データを変換しているので、外部出力端子に接続された外部表示装置の表示領域に副画像をはみ出すことなく表示することができる。
【００６１】
また、上記実施の形態では、前記副画像データに対する変換率を示す情報を入力し、入力した情報により示される変換率で前記副画像データを変換しているので、外部表示装置の表示領域に副画像をユーザの好みの合ったサイズで表示することができる。
【００６２】
［第２の実施の形態］
本第２の実施の形態では、合成された画像データを縮小することにより副画像を外部表示装置の表示領域に収める場合の形態例について説明する。
【００６３】
なお、本第２の実施の形態に係るデジタルカメラ１０’の外観上の構成は、上記第１の実施の形態の図１と同様であるため説明を省略する。
【００６４】
まず、図６を参照して、本第２の実施の形態に係るデジタルカメラ１０’の電気系の要部構成を説明する。なお、同図の図２と同一の構成要素については図２と同一の符号を付して、その説明を省略する。
【００６５】
同図に示されるように本第２の実施の形態に係るデジタルカメラ１０’は、第１の合成回路６２に代えて合成回路８０が設けられている点、第２のリサイズ回路６６及び第２の合成回路６８が削除されている点、入力端が合成回路８０の出力端に接続されると共に出力端がデジタルエンコーダ７０に接続された第３のリサイズ回路８２が新たに設けられている点のみが、上記第１の実施の形態に係るデジタルカメラ１０と異なっている。
【００６６】
本第２の実施の形態に係る合成回路８０は、入力されたＬＣＤ３８の表示領域の画素構成に応じた主画像データとＯＳＤ機能によって表示される副画像データの２種類のデータを合成する合成処理を行うことにより合成画像データを生成してＬＣＤコントローラ６４及び第３のリサイズ回路８２に出力するものであり、第３のリサイズ回路８２は、入力された合成画像データを縮小する縮小処理を行うことによりＴＶ７６の表示領域内に収まる合成画像データを生成してデジタルエンコーダ７０に出力するものである。
【００６７】
なお、本第２の実施の形態に係る第１のリサイズ回路６０は生成した主画像データを合成回路８０に出力するものである。
【００６８】
次に、図７を参照して、第２の実施の形態に係るデジタルカメラ１０’の作用を説明する。なお、図７は、ＯＳＤ機能により画像をＬＣＤ３８に表示する際に所定時間（本実施の形態では、１０秒。）おきにＣＰＵ４０により実行されるＬＣＤ表示処理プログラムの処理の流れを示すフローチャートであり、当該プログラムはフラッシュＲＯＭ４８Ｂの所定領域に予め記憶されている。なお、同図の図３と同一の処理については図３と同一の符号を付して、その説明を省略する。
【００６９】
ステップ２００では、ＯＳＤ機能によって表示される副画像をフラッシュＲＯＭ４８Ｂから読み出して合成回路８０に入力した後、前述した合成処理を実行させる指示を合成回路８０に対して出力し、ステップ１０４に移行する。なお、これに応じて合成回路８０は前述したように上記ステップ１００の処理において生成された主画像データ及び入力された副画像データに基づいて合成画像データを生成する。以上の処理によって、ＬＣＤコントローラ６４により合成画像を示すと共にＬＣＤ３８に供給する画像信号が生成される結果、ＬＣＤ３８の表示領域には同ステップ２００の処理によって生成された合成画像データにより示される合成画像が、副画像がはみ出すことなく表示される。なお、図８（Ａ）には、ＬＣＤ３８の表示領域に表示されている合成画像の表示状態例が示されており、副画像は「Ｍｅｒｒｙ  Ｘ’ｍａｓ」及び「２００４．１２．２４」の文字列とされている。
【００７０】
その後、上記ステップ１１０にて肯定判定となった場合はステップ２０２に移行する一方、上記ステップ１１０にて否定判定となった場合はステップ２０４に移行する。
【００７１】
ステップ２０２では、前述した縮小処理を実行させる指示を第３のリサイズ回路８２に対して出力した後、本ＬＣＤ表示処理プログラムを終了する。なお、これに応じて第３のリサイズ回路８２は、前述したように入力された合成画像データに基づいて所定の縮小率でＴＶ７６の表示領域内に収まる合成画像データを生成する。
【００７２】
ステップ２０４では、前述した縮小処理を実行させる指示を第３のリサイズ回路８２に対して出力した後、本ＬＣＤ表示処理プログラムを終了する。なお、これに応じて第３のリサイズ回路８２は、前述したように入力された合成画像データに基づいてユーザによって指定された縮小率でＴＶ７６の表示領域内に収まる合成画像データを生成する。以上の処理によって、デジタルエンコーダ７０により合成画像を示すアナログビデオ信号が生成される結果、ＴＶ７６の表示領域にはステップ２０２ないしステップ２０４の処理によって生成された合成画像データにより示される合成画像が、副画像がはみ出すことなく表示される。なお、図８（Ｂ）には、ＬＣＤ３８によって表示されている画像が図８（Ａ）に示されるものである場合のＴＶ７６の表示領域に表示された合成画像の表示状態例が示されている。
【００７３】
一方、上記ステップ１０４の処理において否定判定となった場合はステップ２０６に移行し、上記縮小処理ないし合成処理を停止させる指示を第１のリサイズ回路６０、合成回路８０及び第３のリサイズ回路８２に対して出力した後、本ＬＣＤ表示処理プログラムを終了する。
【００７４】
以上詳細に説明したように、上記実施の形態では、副画像が外部出力端子（ここでは、ビデオ出力端子７４。）に接続された外部表示装置（ここでは、ＴＶ７６。）の表示領域に収まるように主画像を示す主画像データと副画像を示す副画像データが合成された合成画像データを変換しているので、外部出力端子に接続された外部表示装置の表示領域に副画像をはみ出すことなく表示することができる。
【００７５】
また、上記実施の形態では、前記合成画像データに対する変換率を示す情報を入力し、入力した情報により示される変換率で前記合成画像データを変換しているので、外部表示装置の表示領域に副画像をユーザの好みの合ったサイズで表示することができる。
【００７６】
なお、上記実施の形態では、本発明のビデオ信号としてアナログビデオ信号を適用した場合について説明したが、本発明はこれに限定されるものではなく、例えば、本発明のビデオ信号としてＨＤＭＩ（High-Definition Multimedia Interface）やＤＶＩ（Digital Visual Interface）等に対応するデジタル画像信号を適用する形態とすることもできる。
【００７７】
また、上記実施の形態で示したデジタルカメラ１０及びデジタルカメラ１０’の外観構成（図１参照。）及び電気系の要部構成（図２及び図６参照。）は一例であり、必要に応じて構成要素を追加したり、不要な構成要素を削除したりすることができることは言うまでもない。
【００７８】
また、上記実施の形態で示した各種処理プログラムの処理の流れ（図３及び図７参照。）も一例であり、必要に応じて処理手順を変更したり、処理内容を変更したり、不要な処理を削除したりすることができることは言うまでもない。
【００７９】
更に、上記実施の形態で示した表示画面の表示状態（図４、図５及び図８参照。）も一例であり、必要に応じて表示項目を追加したり、不要な表示項目を削除したりすることができるのは言うまでもない。
【図面の簡単な説明】
【００８０】
【図１】実施の形態に係るデジタルカメラの外観を示す外観図である。
【図２】第１の実施の形態に係るデジタルカメラの電気系の要部構成を示すブロック図である。
【図３】第１の実施の形態に係るＬＣＤ表示処理プログラムの処理の流れを示すフローチャートである。
【図４】第１の実施の形態に係るＬＣＤに表示される表示画面の表示状態例を示す概略図である。
【図５】第１の実施の形態に係るＬＣＤ及びＴＶの表示領域に表示される合成画像データにより示される合成画像の表示状態例を示す概略図である。
【図６】第２の実施の形態に係るデジタルカメラの電気系の要部構成を示すブロック図である。
【図７】第２の実施の形態に係るＬＣＤ表示処理プログラムの処理の流れを示すフローチャートである。
【図８】第２の実施の形態に係るＬＣＤ及びＴＶの表示領域に表示される合成画像データにより示される合成画像の表示状態例を示す概略図である。
【図９】従来の内部表示装置及び外部表示装置の表示領域に表示される副画像データにより示される副画像の表示状態例を示す概略図である。
【符号の説明】
【００８１】
１０    デジタルカメラ
１０’  デジタルカメラ
３８    ＬＣＤ（表示手段）
４０    ＣＰＵ
４８Ｂ  フラッシュＲＯＭ（記憶手段）
５６Ｄ  十字カーソルスイッチ（入力手段）
６２    第１の合成回路（合成手段）
６６    第２のリサイズ回路（変換手段）
６８    第２の合成回路（合成手段）
７０    デジタルエンコーダ（生成手段）
７２    デジタル／アナログ変換器（生成手段）
７４    ビデオ出力端子（外部出力端子）
７６    テレビジョン受像機（外部表示装置）
８０    合成回路（合成手段）
８２    第３のリサイズ回路（変換手段）
【図１】
2007123961.tif 000003
【図２】
2007123961.tif 000004
【図３】
2007123961.tif 000005
【図４】
2007123961.tif 000006
【図５】
2007123961.tif 000007
【図６】
2007123961.tif 000008
【図７】
2007123961.tif 000009
【図８】
2007123961.tif 000010
【図９】
2007123961.tif 000011